(57)【要約】【課題】故障等のトラブルが発生した場合でもコスト面及び作業面において有利なものとする。【解決手段】親機は、主及び副という関係がなく、互いに通信可能に接続された全親機において共有化される情報（各親機の識別情報）を記憶する登録テーブルを有する。登録用親機として任意に選択された親機に対して他の親機から識別情報が送信されると（Ｓ１４）、登録用親機は自己の登録テーブルにその受信した識別情報を登録する（Ｓ４）。当該登録用親機の登録テーブルに記憶された登録情報（全親機の識別情報を含む情報）は、ボタンの押圧により、他の親機に送信される（Ｓ７）。他の親機は、自己の登録テーブルの記憶内容を受信した登録情報に書き換える。【選択図】図５
2010062662.tif 000002
【特許請求の範囲】
【請求項１】
建物内に設置された他のインターホン装置と通信可能に接続され得るものであって、
自己の識別情報及び前記他のインターホン装置の識別情報を、全てのインターホン装置における共通の情報として共有する情報共有手段を備えていることを特徴とするインターホン装置。
【請求項２】
前記情報共有手段が、
情報を記憶する記憶部と、
前記記憶部に記憶された自己の識別情報を前記他のインターホン装置に送信する第１送信手段と、
前記他のインターホン装置の前記第１送信手段により送信された当該装置の識別情報を受信すると共に前記記憶部に記憶する受信手段と、
前記記憶部に記憶された自己の識別情報及び前記他のインターホン装置の識別情報を前記他のインターホン装置に送信する第２送信手段と、
前記記憶部に記憶された情報を、前記他のインターホン装置の前記第２送信手段により送信された情報に書き換える書換手段と、
を有することを特徴とする請求項１に記載のインターホン装置。
【請求項３】
所定操作に応じて通常モードと登録モードとを切換え可能な切換部と、
押圧可能な押圧部と、
前記押圧部に対する押圧及びその押圧時間を検知する押圧検知部と、
を備え、
前記切換部によって前記通常モードに切換えられた状態において、前記押圧検知部が押圧を検知し且つその検知された押圧時間が第１所定時間より長い第２所定時間以上である場合に、前記第１送信手段による送信を行い、
前記切換部によって前記登録モードに切換えられた状態において、前記押圧検知部が押圧を検知しない場合に、前記受信手段による受信及び記憶を行い、
前記切換部によって前記登録モードに切換えられた状態において、前記押圧検知部が押圧を検知し且つその検知された押圧時間が前記第１所定時間以上前記第２所定時間未満の場合に、前記第２送信手段による送信を行うことを特徴とする請求項２に記載のインターホン装置。
【請求項４】
前記切換部によって前記通常モードに切換えられた状態において、前記押圧検知部が押圧を検知し且つその検知された押圧時間が前記第１所定時間以上前記第２所定時間未満の場合に、前記他のインターホン装置に対して呼出コマンドを送信し、
前記切換部によって前記通常モードに切換えられた状態において、前記呼出コマンドに応じた動作が行われている際に、前記押圧検知部が押圧を検知した場合に、当該呼出コマンドを送信した他のインターホン装置と通話可能な状態とし、
前記通話中に、前記押圧検知部が押圧を検知した場合に、当該通話可能な状態を終了し、
前記切換部によって前記登録モードに切換えられた状態において、前記押圧検知部が押圧を検知し且つその検知された押圧時間が前記第２所定時間以上である場合に、前記記憶部に記憶された情報を消去することを特徴とする請求項３に記載のインターホン装置。
【請求項５】
装置の電源入力時に当該装置の記憶部に自己の識別情報が記憶されていない場合、及び、前記記憶部の情報消去後に、当該識別情報を前記記憶部に記憶させる自己識別情報記憶手段を備えていることを特徴とする請求項１〜４のいずれか一項に記載のインターホン装置。
【請求項６】
建物の出入口に設置された１又は複数の子機と通信可能に接続されたものであって、
前記子機の識別情報を前記共通の情報として共有する子機情報共有手段をさらに備えていることを特徴とする請求項１〜５のいずれか一項に記載のインターホン装置。
【請求項７】
前記子機及び前記他のインターホン装置と無線により通信可能に接続されることを特徴とする請求項６に記載のインターホン装置。
【請求項８】
請求項６又は７に記載の１又は複数のインターホン装置、及び、当該インターホン装置のそれぞれに接続された１又は複数の前記子機を備え、
前記子機又は１の前記インターホン装置を呼出装置、前記呼出装置以外の前記インターホン装置を被呼出装置とするとき、
前記被呼出装置が、前記呼出装置からの呼出コマンドの受信に応じて当該呼出装置に通話開始コマンドを送信する通話開始コマンド送信手段と、前記通話開始コマンドを受信した呼出装置から送信された応答コマンドの受信に応じて承認コマンドを送信する承認コマンド送信手段と、前記承認コマンド送信手段による承認コマンドの最初の送信の後第３所定時間を経た後当該呼出装置と通話可能な状態に切換える第１切換手段と、を有し、
前記呼出装置が、前記応答コマンドの送信後第４所定時間以内に前記承認コマンドを受信しない場合に前記応答コマンドを再送信する再送信手段と、前記被呼出装置からの前記承認コマンドの受信に応じて当該被呼出装置と通話可能な状態に切換える第２切換手段と、を有することを特徴とするインターホンシステム。
【請求項９】
前記再送信手段が、前記応答コマンドの送信後第４所定時間毎に、前記承認コマンドを受信するまで、前記応答コマンドを再送信することを特徴とする請求項８に記載のインターホンシステム。
【請求項１０】
前記呼出装置が、前記承認コマンドの受信に応じて、当該承認コマンドを送信した被呼出装置及びこれ以外の他の被呼出装置に対して呼出キャンセル信号を送信する呼出キャンセル信号送信手段をさらに備え、
前記他の被呼出装置は、前記呼出キャンセル信号を受信すると、前記呼出コマンドに応じた動作を終了し、
前記承認コマンドを送信した被呼出装置は、前記承認コマンドの送信の後第３所定時間を経る前に前記呼出キャンセル信号を受信すると、前記第１切換手段による切換えの前に、当該呼出装置と通話可能な状態に切換えることを特徴とする請求項８又は９に記載のインターホンシステム。
【発明の詳細な説明】
【技術分野】
【０００１】
本発明は、建物内に設置された他のインターホン装置と通信可能に接続され得るインターホン装置、及び、当該インターホン装置と建物の出入口に設置された子機とを含むインターホンシステムに関する。
【背景技術】
【０００２】
インターホンシステムとして、例えば建物の玄関先に設置された子機とその建物の屋内に設置された複数の親機とを有し、これらを通信可能に無線接続したものが知られている（特許文献１参照）。当該文献によると、複数の親機のうちいずれか１つを主親機とし且つその他を副親機として、親機のみに副親機や子機等全ての機器の情報の登録が行われる。
【０００３】
【特許文献１】特開２００２−１９９１１３号公報（請求項１８並びに図１４及び図１５参照）
【発明の開示】
【発明が解決しようとする課題】
【０００４】
上記文献による技術では、主親機が全ての機器についての情報を記憶するため、主親機に故障等のトラブルが発生した場合、新たに子機や副親機を追加・増設しようとすると、主親機も新たに購入した上で、全ての登録を再度行う必要があり、コスト面及び作業面において不利である。また、主親機と副親機とにおいては上記のような情報登録の点からプログラム構成上の違いがあるため、主親機が故障等した場合に副親機を主親機の代わりとして用いることは不可能で、主親機及び副親機の２種類の機器を予め用意する必要がある。
【０００５】
本発明の目的は、故障等のトラブルが発生した場合でもコスト面及び作業面において有利なインターホン装置及びインターホンシステムを提供することである。
【課題を解決するための手段及び発明の効果】
【０００６】
上記目的を達成するため、本発明の第１の観点によると、建物内に設置された他のインターホン装置と通信可能に接続され得るものであって、自己の識別情報及び前記他のインターホン装置の識別情報を、全てのインターホン装置における共通の情報として共有する情報共有手段を備えていることを特徴とするインターホン装置が提供される。
【０００７】
上記観点では、インターホン装置に主及び副という関係を作らず、装置の識別情報を全てのインターホン装置において共有化したことで、以下のようなコスト面及び作業面において有利な効果が得られる。即ち、親機としてのインターホン装置のいずれかに故障等のトラブルが発生した場合でも、残りの親機としての他のインターホン装置に情報が共有されているため、新たに子機や親機を追加・増設しようとするとき、既存の残りの親機を用いて情報登録・共有作業を行うだけで、当該追加・増設を行うことができる。
【０００８】
前記情報共有手段が、情報を記憶する記憶部と、前記記憶部に記憶された自己の識別情報を前記他のインターホン装置に送信する第１送信手段と、前記他のインターホン装置の前記第１送信手段により送信された当該装置の識別情報を受信すると共に前記記憶部に記憶する受信手段と、前記記憶部に記憶された自己の識別情報及び前記他のインターホン装置の識別情報を前記他のインターホン装置に送信する第２送信手段と、前記記憶部に記憶された情報を、前記他のインターホン装置の前記第２送信手段により送信された情報に書き換える書換手段と、を有することが好ましい。この場合、上記各手段を有することにより、共通情報の記憶を適切且つ効果的に行うことができる。
【０００９】
本発明に係るインターホン装置は、所定操作に応じて通常モードと登録モードとを切換え可能な切換部と、押圧可能な押圧部と、前記押圧部に対する押圧及びその押圧時間を検知する押圧検知部と、を備え、前記切換部によって前記通常モードに切換えられた状態において、前記押圧検知部が押圧を検知し且つその検知された押圧時間が第１所定時間より長い第２所定時間以上である場合に、前記第１送信手段による送信を行い、前記切換部によって前記登録モードに切換えられた状態において、前記押圧検知部が押圧を検知しない場合に、前記受信手段による受信及び記憶を行い、前記切換部によって前記登録モードに切換えられた状態において、前記押圧検知部が押圧を検知し且つその検知された押圧時間が前記第１所定時間以上前記第２所定時間未満の場合に、前記第２送信手段による送信を行うことが好ましい。この場合、切換部及び押圧部の各部の単純な操作により、共通情報の記憶に係る作業を容易に行うことができる。
【００１０】
本発明に係るインターホン装置は、前記切換部によって前記通常モードに切換えられた状態において、前記押圧検知部が押圧を検知し且つその検知された押圧時間が前記第１所定時間以上前記第２所定時間未満の場合に、前記他のインターホン装置に対して呼出コマンドを送信し、前記切換部によって前記通常モードに切換えられた状態において、前記呼出コマンドに応じた動作が行われている際に、前記押圧検知部が押圧を検知した場合に、当該呼出コマンドを送信した他のインターホン装置と通話可能な状態とし、前記通話中に、前記押圧検知部が押圧を検知した場合に、当該通話可能な状態を終了し、前記切換部によって前記登録モードに切換えられた状態において、前記押圧検知部が押圧を検知し且つその検知された押圧時間が前記第２所定時間以上である場合に、前記記憶部に記憶された情報を消去することが好ましい。この場合、切換部及び押圧部の各部の単純な操作により、共通情報の記憶に係る作業以外のその他様々な作業を行うことができ、操作性により優れたものとなる。
【００１１】
本発明に係るインターホン装置は、装置の電源入力時に当該装置の記憶部に自己の識別情報が記憶されていない場合、及び、前記記憶部の情報消去後に、当該識別情報を前記記憶部に記憶させる自己識別情報記憶手段を備えていることが好ましい。装置の電源入力時及び記憶部の情報消去後に自動的に自己の識別情報が記憶されることで、自己の識別情報の送信エラー等を防止することができる。
【００１２】
本発明に係るインターホン装置は、建物の出入口に設置された１又は複数の子機と通信可能に接続されたものであって、前記子機の識別情報を前記共通の情報として共有する子機情報共有手段をさらに備えてよい。
【００１３】
前記子機及び前記他のインターホン装置と無線により通信可能に接続されることが好ましい。この場合、有線接続の場合に必要となる配線作業が不要であるため、設置が容易である。
【００１４】
本発明の第２の観点によると、上記の１又は複数のインターホン装置、及び、当該インターホン装置のそれぞれに接続された１又は複数の前記子機を備え、前記子機又は１の前記インターホン装置を呼出装置、前記呼出装置以外の前記インターホン装置を被呼出装置とするとき、前記被呼出装置が、前記呼出装置からの呼出コマンドの受信に応じて当該呼出装置に通話開始コマンドを送信する通話開始コマンド送信手段と、前記通話開始コマンドを受信した呼出装置から送信された応答コマンドの受信に応じて承認コマンドを送信する承認コマンド送信手段と、前記承認コマンド送信手段による承認コマンドの最初の送信の後第３所定時間を経た後当該呼出装置と通話可能な状態に切換える第１切換手段と、を有し、前記呼出装置が、前記応答コマンドの送信後第４所定時間以内に前記承認コマンドを受信しない場合に前記応答コマンドを再送信する再送信手段と、前記被呼出装置からの前記承認コマンドの受信に応じて当該被呼出装置と通話可能な状態に切換える第２切換手段と、を有することを特徴とするインターホンシステムが提供される。
【００１５】
インターホンシステムにおいて、例えば被呼出装置が承認コマンドの最初の送信の後直ちに呼出装置と通話可能な状態に切換える構成では、送信された承認コマンドが電波状況の不良その他の事情により呼出装置に到達しない場合、呼出装置は当該被呼出装置と通話可能な状態に切換えられないため、呼出装置と被呼出装置との間の通話が適切に行われないという問題が生ずる。これに対し、上記第２の観点によるインターホンシステムでは、被呼出装置が承認コマンドの送信の後第３所定時間を経た後呼出装置と通話可能な状態に切換えること（第１切換手段）及び呼出装置が応答コマンドを再送信すること（再送信手段）により、上記問題を軽減することができる。
【００１６】
前記再送信手段が、前記応答コマンドの送信後第４所定時間毎に、前記承認コマンドを受信するまで、前記応答コマンドを再送信することが好ましい。この場合、呼出装置が承認コマンドを受信するまで応答コマンドを再送信し続けることにより、上記問題をより効果的に軽減することができる。
【００１７】
前記呼出装置が、前記承認コマンドの受信に応じて、当該承認コマンドを送信した被呼出装置及びこれ以外の他の被呼出装置に対して呼出キャンセル信号を送信する呼出キャンセル信号送信手段をさらに備え、前記他の被呼出装置は、前記呼出キャンセル信号を受信すると、前記呼出コマンドに応じた動作を終了し、前記承認コマンドを送信した被呼出装置は、前記承認コマンドの送信の後第３所定時間を経る前に前記呼出キャンセル信号を受信すると、前記第１切換手段による切換えの前に、当該呼出装置と通話可能な状態に切換えることが好ましい。この場合、承認コマンドを送信した被呼出装置は、承認コマンドの送信後第３所定時間を経る前でも、呼出装置からの呼出キャンセル信号の受信により、呼出装置に承認コマンドが到達したことを確認することができ、第３所定時間を経過する前に呼出装置と通話可能な状態に切換える。これにより、処理の迅速性を確保しつつ、上記問題を軽減することができる。
【発明を実施するための最良の形態】
【００１８】
以下、本発明の好適な実施の形態について、図面を参照しつつ説明する。
【００１９】
先ず、図１、図２、及び図３を参照し、本発明の一実施形態に係るインターホン装置としての親機１０並びに親機１０及び子機２０を含むインターホンシステム１の構成について説明する。
【００２０】
本実施形態に係るインターホンシステム１は、図１に示すように、４台の親機１０及び２台の子機２０を含む。各親機１０及び各子機２０はそれぞれ機械的及び電気的構成が同じである。子機２０は建物の出入口、即ち玄関先や勝手口等に設置され、親機１０は同一構内としてその建物の屋内における適宜の場所に設置される。本システム１において、メモリ容量やＩＤ情報の取り方、さらに使用上の点から、親機１０は４台まで、子機２０は２台まで設置可能であるとしている。以下、当該最大数の４台及び２台をそれぞれ設置したものとして説明する。
【００２１】
親機１０同士、及び、各親機１０と各子機２０とは、無線により通信可能に接続されている。したがって、１の親機１０は、他の親機１０と通話可能な状態となり得ると共に、各子機２０とも通話可能な状態となり得る。つまり、インターホンシステム１においては、建物の来訪者と当該建物の屋内に居る者とがそれぞれ子機２０及び親機１０を介して通話できると共に、建物の屋内に居る者同士がそれぞれ親機１０を介していわゆる内線通話をすることができる。
【００２２】
親機１０は、図１及び図２に示すように、略円柱状の細長な形状でユーザにより持ち運び可能な本体１１と、本体１１を支持すると共に本体１１の電池を充電する充電台１５とを含む。充電台１５は高さの低い略円柱状であって、その上面の凹部内に本体１１の下端近傍を保持している。本体１１の正面には、上から順に、呼出音や通話音を出力するスピーカ１２、電源オンのときに点灯するＬＥＤの電源ランプ１３、ユーザにより押圧可能な通話／呼出ボタン１７（以下、単に「ボタン１７」と称す。）、及び、マイク１９が設けられている。本体１１の裏面には、通常モードと登録モードとを切換る際にユーザにより操作されるスイッチ１８が設けられている。ここで、「登録」とは、自己以外の他の機器（子機２０及び他の親機１０）の識別情報を記憶することをいう。本体１１の側面には、スピーカからの通話音の出力音量を調整する音量調整部１４ａ、及び、スピーカからの呼出音の出力音量を調整する音量調整部１４ｂが設けられている。本体１１の上部には、他の機器１０，２０との信号の送受信のためのアンテナ１６が設けられている。親機１０は、上記のように持ち運び可能な本体１１を有することで、所謂ハンズフリーによる通話が可能なものである。
【００２３】
子機２０は、図１に示すように、直方体形状であって、その裏面が壁面と対向するようにして壁に固定される。子機２０の正面には、上から順に、呼出音や通話音を出力するスピーカ２２、電源オンのときに点灯するＬＥＤの電源ランプ２３、ユーザにより押圧可能な呼出ボタン２７、及び、マイク２９が設けられている。さらに子機２０の右側面には、親機１０に対して自己の識別情報を送信する際にユーザにより押圧される登録ボタン２８が設けられている。
【００２４】
図３に示すように、インターホンシステム１においては、４台の中から登録用として任意に選択された１の親機（以下「登録用親機」と称す。）１０に他の親機１０及び子機２０の識別情報が送信され、その情報は当該登録用親機１０の登録テーブルに登録される。そして、登録用親機１０の登録テーブルに登録された登録情報（全ての親機１０の識別情報及び全ての子機２０の識別情報を含む情報）は他の親機１０に送信され、当該他の親機１０それぞれの登録テーブルに記憶される。その結果、上記登録情報は、全ての親機１０における共通の情報として共有される。
【００２５】
子機２０の識別情報を登録用親機１０に登録する際には、先ず子機２０の近くに登録用親機１０を配置し、子機２０の登録ボタン２８を押圧する。これにより、子機２０の識別情報が登録用親機１０に送信され、登録用親機１０の登録テーブルに登録される。登録用親機１０以外の親機１０の識別情報を登録用親機１０に登録する際にも、当該親機１０同士を近くに配置して行う。なお、その後の処理については後に詳述するものとする。
【００２６】
次に、図４（ａ），（ｂ）を参照し、親機１０及び子機２０の電気的構成について説明する。
【００２７】
図４（ａ）に示すように、親機１０は各部の動作を制御する制御部５０を有し、制御部５０は、電源５５、上述したアンテナ１６、スピーカ１２、マイク１９、ボタン１７、スイッチ１８等と接続されている。図２に示す親機１０の本体１１正面に設けられたボタン１７の内部には、押圧を検知するセンサ１７ａが内蔵されており、制御部５０は当該センサ１７ａによる検知信号を受信して、ボタン１７の押圧及びその押圧時間を検知する。親機１０はまた、上記登録テーブルを記憶する登録テーブル記憶部５８を有する。
【００２８】
図４（ｂ）に示すように、子機２０は各部の動作を制御する制御部８０を有し、制御部８０は、電源８５、上述したアンテナ２６、スピーカ２２、マイク２９、呼出ボタン２７、登録ボタン２８等と接続されている。
【００２９】
各親機１０について、自己の識別情報は、各親機１０の制御部５０の記憶部及び登録テーブル記憶部５８の登録テーブルに記憶されている。また、各子機２０について、自己の識別情報は、各子機２０の制御部８０の記憶部に記憶されている。ただし、親機１０において、電源入力時に自己の識別情報がその登録テーブルに記憶されていない場合には、制御部５０により、登録テーブルに自己の識別情報を記憶させる処理が行われる。
【００３０】
次いで、図５〜図８を参照し、親機１０及び子機２０による各処理について説明する。以下に述べる各処理は、親機１０の制御部５０又は子機２０の制御部８０による制御に基づいて行われる。
【００３１】
先ず、図５を参照し、親機１０による識別情報（IＤ:Identification Number）登録処理及び識別情報送信処理について説明する。
【００３２】
識別情報登録処理は、任意に選択され且つ登録モードに設定された登録用親機１０において行われる。即ち、登録用親機１０は、ユーザの操作に応じてスイッチ１８により登録モードに切換えられた状態（Ｓ１：ＹＥＳ）にある。具体的には、当該登録用親機１０が、登録モードにおいて、ボタン１７の押圧が検知されず（Ｓ２：ＮＯ）、他の親機１０から識別情報を受信した場合（Ｓ３：ＹＥＳ）、当該受信した識別情報を、自己の登録テーブル記憶部５８の登録テーブルに登録する（Ｓ４）。
【００３３】
Ｓ３において、他の親機１０から識別情報を受信しない場合は（Ｓ３：ＮＯ）、Ｓ１の処理に戻る。
【００３４】
なお、登録モードにおいて、他の親機１０から識別情報を受信することなく、ボタン１７の押圧が検知された場合（Ｓ２：ＹＥＳ）、その押圧が長押しであるか否かが判断される（Ｓ５）。「長押し」とは、ボタンの押圧時間が例えば３秒以上で、比較的長い時間ボタンが押圧され続けることをいう。また、ボタンの押圧時間が例えば３秒未満で、比較的短い時間ボタンが押圧されることを「短押し」という。
【００３５】
ボタン１７の押圧が長押しである場合（Ｓ５：ＹＥＳ）、自己の登録テーブル記憶部５８の登録テーブルの記憶情報を消去する（Ｓ６）。一方、ボタン１７の押圧が長押しではなく短押しである場合（Ｓ５：ＮＯ）、自己の登録テーブル記憶部５８に記憶された登録テーブルの記憶情報、即ち登録情報を、他の親機１０に対して送信する（Ｓ７）。Ｓ６又はＳ７の処理の前、登録用親機１０の登録テーブルには、自己の識別情報に加え、これまでにＳ４の処理がなされた他の親機１０の識別情報、及び、登録ボタン２８の押圧により送信されてきた子機２０の識別情報が記憶されている。
【００３６】
なお、Ｓ６にて登録テーブルの記憶情報を消去した後、当該親機１０の制御部５０は、制御部５０の記憶部から自己の識別情報を読み出し、これを登録テーブルに記憶させる。Ｓ４、Ｓ６、又はＳ７の処理後は、登録モードか否かを判断するＳ１に戻る。
【００３７】
識別情報送信処理は、任意に選択された登録用親機１０以外の親機１０において、ユーザの操作に応じてスイッチ１８により通常モードに切換えられている状態で（Ｓ１１：ＹＥＳ）、行われる。具体的には、当該親機１０が、通常モードにおいて、ボタン１７の押圧が検知され（Ｓ１２：ＹＥＳ）、そのボタン１７の押圧が長押しである場合（Ｓ１３：ＹＥＳ）、自己の登録テーブルに記憶されている自己の識別情報を、登録用親機１０に送信する（Ｓ１４）。
【００３８】
Ｓ１２において、ボタン１７の押圧が検知されない場合は（Ｓ１２：ＮＯ）、当該処理を繰り返す。
【００３９】
Ｓ１３において、ボタン１７の押圧が長押しではなく短押しである場合は（Ｓ１３：ＮＯ）、当該親機１０は、宛先を指定しない広域送信によって、自己の識別情報を含む呼出コマンドを送信する（Ｓ１５）。呼出コマンドを受信した他の親機１０は、呼出コマンドに含まれる送信元の識別情報を自己の登録テーブルに有している場合、スピーカ１２から呼出音を出力する。当該呼出音が出力された親機１０において、ユーザによるボタン１７の押圧が検知されると、呼出コマンドを送信した親機１０と通話可能な状態となる。そして通話中に、通話可能状態となっている親機１０のいずれかにおいてボタン１７の押圧が検知されると、通話可能状態が終了する。
【００４０】
次に、図５及び図６を参照し、登録用親機１０以外の親機１０による書換処理について説明する。
【００４１】
図５のＳ７において登録用親機１０から登録情報が送信されたとする。他の親機１０は、当該登録情報を受信すると（図６、Ｓ３１：ＹＥＳ）、その登録情報に自己の識別情報が含まれているか否かを判断する（Ｓ３２）。受信した登録情報に自己の識別情報が含まれている場合（Ｓ３２：ＹＥＳ）、自己の登録テーブル記憶部５８の登録テーブルの記憶情報を、受信した登録情報に書き換える（Ｓ３３）。受信した登録情報に自己の識別情報が含まれていない場合（Ｓ３２：ＮＯ）、上記書換Ｓ３３を行うことなく、処理を終了する。
【００４２】
すなわち、任意に選択され且つ登録モードに設定された登録用親機１０は、図５のフローに従い、新たな親機１０の識別情報を入手してこれを自己の登録テーブルに追加・記録する（図５、Ｓ３：ＹＥＳ及びＳ４）と共に、当該登録用親機１０のボタン１７の短押しにより、新たな識別情報が追加された登録情報を他の親機１０に送信する（Ｓ５：ＮＯ及びＳ７）。他の親機１０において、受信可能な範囲に設置されており且つ送信されてきた登録情報に自身の識別情報が含まれている親機１０は、自己の登録テーブルの記憶情報を書き換える（図６参照）。当該書換処理Ｓ３３を行う親機１０には、上記新たに自己の識別情報を追加した又は追加しようとした親機１０も当然含まれる。このようにして、登録情報は全ての親機１０において共有される。
【００４３】
子機２０の識別情報の親機１０への登録の際には、上述したとおり、子機２０の近くに登録用親機１０を配置し、子機２０の登録ボタン２８の押圧により、子機２０の識別情報が登録用親機１０に送信されて登録用親機１０の登録テーブルに登録される。新たに子機２０が追加・増設される場合も同様である。子機２０の識別情報は、登録された親機１０の登録テーブルの一部として含まれる。そして図５及び図６のフローに従い、登録モードにある登録用親機１０のボタン１７の短押しにより、子機の識別情報を含む登録情報は全ての親機１０において共有される。なお、このような登録情報の共有は親機１０間のみで行われ、子機２０には及ばない。つまり、子機２０は登録情報を記憶しない。
【００４４】
登録用親機は、複数の親機１０のうちから任意に選択されるものであり、特定のものに限定されない。任意に選択された登録用親機１０が、追加・増設された子機２０及び／又は親機１０の識別情報を入手する。そして上述した情報共有化のための各操作及び制御部５０による制御により、親機１０間で登録情報を共有することができる。このような登録情報の共有化により、次のような通話が可能となる。以下、子機２０が親機１０を呼び出して通話を行うまでの処理と、親機１０が別の親機１０を呼び出して通話を行うまでの処理とについて、順に説明する。
【００４５】
（子機２０が親機１０を呼び出して通話を行うまでの処理）
上述した情報共有化のための各操作及び制御部５０による制御により、４台の親機２０の全てにおいて、２台の子機２０及び４台の親機１０の識別情報を含む登録情報が共有されている場合において、任意の子機（以下「呼出元子機」と称す）２０の呼出ボタン２７が押圧されると、呼出元子機２０は、宛先を指定しない広域送信によって、自己の識別情報を含む呼出コマンドを送信する。呼出コマンドを受信した親機１０のうち、呼出コマンドに含まれる呼出元子機２０の識別情報を登録テーブルに有しているものは、呼出音を出力する。この場合、上記のように登録情報が４台の親機１０において共有されており、各親機１０は呼出元子機２０の識別情報を登録テーブルに有しているため、全ての親機１０が呼出音を出力する。
【００４６】
４台の親機１０のうち任意の１台（以下「被呼出親機」と称す）においてボタン１７が短押しされると、被呼出親機１０は自己の識別情報を含む通話開始コマンドを呼出元子機２０に対して送信し、通話開始コマンドを受信した呼出元子機２０は応答コマンドを被呼出親機１０に送信する。応答コマンドを受信した被呼出親機１０は承認コマンドを呼出元子機２０に送信し、承認コマンドを受信した呼出元子機２０は、宛先を指定しない広域送信によって、自己の識別情報を含む呼出キャンセルコマンドを送信する。呼出キャンセルコマンドを受信した残りの３台の被呼出親機１０は、呼出音の出力を停止する。その後、呼出元子機２０はチャンネル変更を行って通話可能な状態となる。承認コマンドを送信した被呼出親機１０は、呼出元子機２０からの呼出キャンセルコマンドを受信すると、チャンネル変更を行い、通話可能な状態となる。
【００４７】
（親機１０が別の親機１０を呼び出して通話を行うまでの処理）
上述した情報共有化のための各操作及び制御部５０による制御により、４台の親機２０の全てにおいて、２台の子機２０及び４台の親機１０の識別情報を含む登録情報が共有されている場合において、任意の親機（以下「呼出元親機」と称す）１０のボタン１７が押圧されると、呼出元親機１０は、宛先を指定しない広域送信によって、自己の識別情報を含む呼出コマンドを送信する。呼出コマンドを受信した他の親機１０のうち、呼出コマンドに含まれる呼出元親機１０の識別情報を登録テーブルに有しているものは、呼出音を出力する。この場合、上記のように登録情報が４台の親機１０において共有されており、各親機１０は呼出元親機１０の識別情報を登録テーブルに有しているため、残り３台の親機１０は共に呼出音を出力する。
【００４８】
呼出元親機１０以外の３台の親機１０のうち任意の１台（以下「被呼出親機」と称す）においてボタン１７が短押しされると、当該被呼出親機１０は自己の識別情報を含む通話開始コマンドを呼出元親機１０に対して送信し、通話開始コマンドを受信した呼出元親機１０は応答コマンドを被呼出親機１０に送信する。応答コマンドを受信した被呼出親機１０は承認コマンドを呼出元親機１０に送信し、承認コマンドを受信した呼出元親機１０は、宛先を指定しない広域送信によって、自己の識別情報を含む呼出キャンセルコマンドを送信する。呼出キャンセルコマンドを受信した残りの２台の親機（呼出親機でも被呼出親機でもない親機）１０は、呼出音の出力を停止する。その後、呼出元親機１０はチャンネルの変更を行って通話可能な状態となる。承認コマンドを送信した被呼出親機１０は、呼出元親機１０からの呼出キャンセルコマンドを受信すると、チャンネル変更を行い、通話可能な状態となる。
【００４９】
上記のように親機１０全てにおいて登録情報が共有されるだけでなく、以下のように各操作や制御部５０による制御を工夫することによって、二世帯住宅等において、ある子機（全体呼出用子機）２０では全ての親機１０を呼び出し、別の子機（特定親機呼出用子機）２０では特定の親機１０のみを呼び出すといった、呼出分けを行えるようにしてもよい。例えば、先ず、全ての親機１０及び全体呼出用子機２０の識別情報を登録用親機に登録し、上述した情報共有化のための各操作及び制御部５０による制御により、当該識別情報を含む登録情報を、全親機１０において共有させる。特定親機呼出用子機２０については、当該子機により呼出を行いたい特定の親機１０に対してのみ、識別情報の登録を行う。そしてこのまま情報共有化のための各操作および制御部５０による制御が行われずに機器１０，２０が使用されれば、全体呼出用子機２０は全ての親機１０を呼び出し、特定親機呼出用子機２０は特定の親機１０のみを呼び出すという構成が実現され、二世帯住宅のような場面での柔軟な運用が可能となる。
【００５０】
次に、図７及び図８を参照し、親機１０と子機２０との間で行われる呼出・応答処理について説明する。
【００５１】
先ず、図７に示すように、子機２０は、ボタン２７の押圧が検知されると（Ｓ４１：ＹＥＳ）、全ての親機１０に対して前述した広域送信の呼出コマンド（自己の識別情報を含む）を送信する（Ｓ４２）。呼出コマンドを受信した各親機１０は（Ｓ５１：ＹＥＳ）、呼出コマンドに含まれる送信元の子機２０の識別情報を自己の登録テーブルに有している場合、スピーカ１２から呼出音を出力する（Ｓ５２）。その後、いずれかの親機１０においてボタン１７の押圧が検知されると（Ｓ５３：ＹＥＳ）、当該親機１０は子機２０に自己の識別情報を含む通話開始コマンドを送信する（Ｓ５４）。
【００５２】
子機２０は、Ｓ４２にて呼出コマンドを送信した後、いずれかの親機１０から通話開始コマンドを受信するまで待機状態となり、通話開始コマンドを受信すると（Ｓ４３：ＹＥＳ）、応答コマンドを当該親機１０に対して送信する（Ｓ４４）。
【００５３】
親機１０は、Ｓ５４にて通話開始コマンドを送信した後、子機２０から応答コマンドを受信するまで待機状態となり、応答コマンドを受信すると（Ｓ５５：ＹＥＳ）、図８に示すように、承認コマンドを子機２０に対して送信する（Ｓ５６）。
【００５４】
子機２０は、Ｓ４４にて応答コマンドを送信した後、図８に示すように、親機１０から承認コマンドを受信したか否かを判断し（Ｓ４５）、承認コマンドを受信した場合（Ｓ４５：ＹＥＳ）、全ての親機１０に対して呼出キャンセル信号を送信し（Ｓ４６）、そして当該親機１０と通話可能な状態に切換えるようチャンネル変更を行い（Ｓ４７）、呼出処理を終了する。
【００５５】
一方、電波状況の不良その他の事情により、承認コマンドが受信されない場合は（Ｓ４５：ＮＯ）、Ｓ４４の応答コマンド送信から所定時間（例えば０．０１秒）が経過したか否かを判断し（Ｓ４８）、所定時間が経過した場合は（Ｓ４８：ＹＥＳ）、応答コマンドを再送信する（Ｓ４９）。所定時間が経過していない場合（Ｓ４８：ＮＯ）及びＳ４９の後は、Ｓ４５の処理に戻る。
【００５６】
子機２０がＳ４６で送信した呼出キャンセル信号を受信した他の親機（即ち、承認コマンドの送信等を行っていない親機）１０は、スピーカ１２を介した呼出音の出力を終了する。
【００５７】
親機１０は、Ｓ５６にて承認コマンドを送信した後、子機２０から呼出キャンセル信号を受信した場合（Ｓ５７：ＹＥＳ）、当該子機２０と通話可能な状態に切換えるよう、チャンネル変更を行い（Ｓ５９）、応答処理を終了する。子機２０から呼出キャンセル信号を受信しない場合は（Ｓ５７：ＮＯ）、Ｓ５６の承認コマンド送信から所定時間（例えば１秒）が経過したか否かを判断し（Ｓ５８）、所定時間が経過した場合（Ｓ５８：ＹＥＳ）、上記チャンネル変更を行い（Ｓ５９）、応答処理を終了する。
【００５８】
一方、所定時間が経過していない場合（Ｓ５８：ＮＯ）、図７のＳ５５に戻り、再度応答コマンドの受信の有無を判断する。そして再送されてきた応答コマンドを受信すると（Ｓ５５：ＹＥＳ）、再び承認コマンドを送信する（図８のＳ５６）。
【００５９】
なお、図７及び図８に係る上記の説明においては、子機２０を呼出装置、親機１０を被呼出装置としているが、１の親機１０を呼出装置、当該呼出装置以外の親機１０を被呼出装置として、親機１０間において上述した呼出・応答処理を行うこともできる。
【００６０】
また、上記の説明では、説明の都合上、親機１０を登録用親機と他の親機とに区別しているが、これら親機１０は、共通の情報として全ての親機１０の識別情報等が記憶される登録テーブルを記憶する登録テーブル記憶部５８を有すると共に、上述した全ての処理を同様に行うように構成されており、４台のうちいずれの親機１０でも登録用親機として用いることができる。
【００６１】
以上に述べたように、本実施形態に係る親機１０によると、主及び副という関係を作らず、識別情報を全ての親機１０において共有化したことで、以下のようなコスト面及び作業面において有利な効果が得られる。即ち、１の親機（登録用親機）１０に故障等のトラブルが発生した場合でも、残りの親機１０に情報が共有されているため、新たに子機２０や親機１０を追加・増設しようとするとき、既存の残りの親機１０を用いて情報登録・共有作業を行うだけで、当該追加・増設を行うことができる。
【００６２】
各親機１０は、登録情報が記憶される登録テーブルを記憶する登録テーブル記憶部５８を有すると共に、自己の登録テーブルに記憶された自己の識別情報を他の親機１０に送信する処理（図５のＳ１４）、他の親機１０の処理Ｓ１４により送信された識別情報を受信すると共にこれを自己の登録テーブルに記憶する処理（Ｓ４）、自己の登録テーブルに記憶された自己の識別情報及び他の親機１０の識別情報を他の親機１０に送信する処理（Ｓ７）、並びに、自己の登録テーブルに記憶された情報を他の親機１０の処理Ｓ７により送信された情報に書き換える処理（図６のＳ３３）を行うよう構成されている。このような記憶部５８や各処理により、共通情報の記憶を適切且つ効果的に行うことができる。
【００６３】
親機１０は、所定操作に応じて通常モードと登録モードとを切換え可能なスイッチ１８と、押圧可能なボタン１７と、ボタン１７に対する押圧及びその押圧時間を検知するセンサ１７ａと、を有する。そして、スイッチ１８によって通常モードに切換えられた状態において、センサ１７ａがボタン１７の押圧を検知し且つその押圧が長押しである場合に（図５のＳ１３：ＹＥＳ）、自己の登録テーブルに記憶されている自己の識別情報を登録用親機１０に送信し（図５のＳ１４）、また、スイッチ１８によって登録モードに切換えられた状態において、センサ１７ａがボタン１７の押圧を検知しない場合に（Ｓ２：ＮＯ）、他の親機１０から送信されてきた識別情報の受信及びこれの登録テーブルへの記憶を行う（Ｓ４）。また、スイッチ１８によって登録モードに切換えられた状態において、センサ１７ａがボタン１７の押圧を検知し且つその押圧が短押しである場合に（Ｓ５：ＮＯ）、自己の登録テーブルの記憶情報を他の親機１０に対して送信する（Ｓ７）。このように、スイッチ１８及びボタン１７の単純な操作により、共通情報の記憶に係る作業を容易に行うことができる。
【００６４】
親機１０は、スイッチ１８によって通常モードに切換えられた状態において、センサ１７ａがボタン１７の押圧を検知し且つその押圧が短押しである場合に（図５のＳ１３：ＮＯ）、他の親機１０に対して呼出コマンドを送信し（Ｓ１５）、また、スイッチ１８によって通常モードに切換えられた状態において、呼出コマンドに応じた動作が行われている際に、センサ１７ａがボタン１７の押圧を検知した場合に、当該呼出コマンドを送信した他の親機１０と通話可能な状態とする。そして、通話中に、センサ１７ａがボタン１７の押圧を検知した場合、当該通話可能な状態を終了する。さらに、スイッチ１８によって登録モードに切換えられた状態において、センサ１７ａがボタン１７の押圧を検知し且つその押圧が長押しである場合に（Ｓ５：ＹＥＳ）、自己の登録テーブルに記憶された情報を消去する（Ｓ６）。このように、スイッチ１８及びボタン１７の単純な操作により、共通情報の記憶に係る作業以外のその他様々な作業を行うことができ、操作性により優れたものとなる。
【００６５】
親機１０は、その電源入力時に自己の登録テーブルに自己の識別情報が記憶されていない場合、及び、登録テーブルの情報消去後（図５のＳ６の後）に、制御部５０により、登録テーブルに自己の識別情報を記憶させるように構成されている。このように自動的に自己の識別情報が記憶されることで、自己の識別情報の送信エラー等を防止することができる。
【００６６】
各親機１０は、子機２０及び他の親機１０と無線により通信可能に接続されているため、有線接続の場合に必要となる配線作業が不要であり、設置が容易である。
【００６７】
また、インターホンシステムにおいて、例えば被呼出装置としての親機１０が承認コマンドの最初の送信の後（図８のＳ５６の後）直ちに呼出装置としての子機２０と通話可能な状態に切換える構成では、送信された承認コマンドが電波状況の不良その他の事情により子機２０に到達しない場合、子機２０は当該親機１０と通話可能な状態に切換えられないため、子機２０と親機１０との間の通話が適切に行われないという問題が生ずる。具体的には、被呼出装置としての親機１０が承認コマンドの送信の後直ちにチャンネルを変更した場合、その後呼出装置としての子機２０が応答コマンドを再送信（Ｓ４９）したとしても、当該親機１０はチャンネル変更により通話可能状態となっているため、再送信された応答コマンドを受信することができず、当該応答コマンドに対する承認コマンドの再送信は行われない。そのため、被呼出装置としての親機１０はチャンネル変更により通話可能状態となっているのにも関わらず、呼出装置としての子機２０は承認コマンド未受信のためにチャンネル変更されず通話可能状態とならないという状況に至る。これに対し、本実施形態のインターホンシステム１では、被呼出装置としての親機１０が承認コマンドの送信の後（Ｓ５６の後）所定時間を経た後呼出装置としての子機２０と通話可能な状態に切換えること（Ｓ５８：ＹＥＳ、及びＳ５９）及び呼出装置としての子機２０が応答コマンドを再送信すること（Ｓ４９）により、上記問題を軽減することができる。
【００６８】
呼出装置としての子機２０による応答コマンドの再送信は、最初の応答コマンドの送信後（図７のＳ４４）、所定時間毎に、承認コマンドを受信するまで行われる（図８のＳ４５：ＮＯ、Ｓ４８：ＹＥＳ、及びＳ４９）。このように呼出装置としての子機２０が承認コマンドを受信するまで応答コマンドを再送信し続けることにより、上記問題をより効果的に軽減することができる。
【００６９】
呼出装置としての子機２０は、承認コマンドの受信に応じて（図８のＳ４５：ＹＥＳ）、承認コマンドを送信した被呼出装置としての親機１０及びこれ以外の被呼出装置としての他の親機１０に対して呼出キャンセル信号を送信する（Ｓ４６）。当該他の親機１０は、呼出キャンセル信号を受信すると、呼出コマンドに応じた動作を終了する。一方、承認コマンドを送信した被呼出装置としての親機１０は、承認コマンドの送信の後（Ｓ５６の後）所定時間を経る前に呼出キャンセル信号を受信すると（Ｓ５７：ＹＥＳ）、所定時間経過前であっても、呼出装置としての子機２０と通話可能な状態に切換える（Ｓ５９）。これにより、処理の迅速性を確保しつつ、上記問題を軽減することができる。
【００７０】
なお、１の親機１０を呼出装置、当該呼出装置以外の親機１０を被呼出装置として、図７及び図８に係る呼出・応答処理を親機１０間において行う場合にも、本実施形態のインターホンシステム１による効果、即ち、呼出装置・被呼出装置間の通話が適切に行われない問題を軽減するという効果が得られる。
【００７１】
以上、本発明の好適な実施の形態及び変形例について説明したが、本発明は上述の実施形態及び変形例に限られるものではなく、特許請求の範囲に記載した限りにおいて様々な設計変更が可能なものである。
【００７２】
例えば、上述の実施形態に係るインターホンシステム１は、図１に示すように、４台の親機１０及び２台の子機２０を含むが、本発明に係るインターホンシステムは、親機１０及び子機２０を少なくとも１台ずつ含むものであればよく、その台数は制限されるものではない。例えば、親機１０及び子機２０を１台ずつ用いることで、建物の来訪者と当該建物の屋内に居る者との通話が可能となる。
【００７３】
或いは、子機２０を使用せず、子機２０と接続されていない２台以上の親機１０を用いることで、インターホンシステム１は構成されなくとも、内線通話のみが可能となる。
【００７４】
親機１０及び子機２０の外観構成、電気的構成、制御部５０，８０による各処理は様々に変更可能である。例えばボタン１７，２７やスイッチ１８，２８の形態や位置を変更したり、これらを省略したりしてよい。
【００７５】
親機１０同士、及び、各親機１０と各子機２０とは、無線接続ではなく、有線接続されてもよい。
【図面の簡単な説明】
【００７６】
【図１】本発明の一実施形態に係るインターホン装置としての親機並びに親機及び子機を含むインターホンシステムを示す概略図である。
【図２】親機を示す斜視図である。
【図３】インターホンシステムにおける識別情報の送受信及び登録情報の共有の手順を示す説明図である。
【図４】（ａ）は、親機の電気的構成を示すブロック図である。（ｂ）は、子機の電気的構成を示すブロック図である。
【図５】親機による識別情報登録処理及び識別情報送信処理を示すフローチャートである。
【図６】親機による書換処理を示すフローチャートである。
【図７】子機による呼出処理及び親機による応答処理の前半部分を示すフローチャートである。
【図８】子機による呼出処理及び親機による応答処理の後半部分を示すフローチャートである。
【符号の説明】
【００７７】
１  インターホンシステム
１０  親機（インターホン装置）
１７  通話／呼出ボタン（押圧部）
１７ａ  センサ（押圧検知部）
１８  スイッチ（切換部）
２０  子機
５０  制御部（情報共有手段，切換部，第１送信手段，受信手段，第２送信手段，書換手段，押圧検知部，子機情報共有手段，通話開始コマンド送信手段，承認コマンド送信手段，第１切換手段）
５８  登録テーブル記憶部（記憶部，情報共有手段，子機情報共有手段）
８０  制御部（再送信手段，第２切換手段，呼出キャンセル信号送信手段）
【図１】
2010062662.tif 000003
【図２】
2010062662.tif 000004
【図３】
2010062662.tif 000005
【図４】
2010062662.tif 000006
【図５】
2010062662.tif 000007
【図６】
2010062662.tif 000008
【図７】
2010062662.tif 000009
【図８】
2010062662.tif 000010